【事件の表示】
　特願２０００−　　３８５６「遊技機」拒絶査定不服審判事件〔平成１２年　５月２３日出願公開、特開２０００−１４０２９５〕について、次のとおり審決する。
【結　論】
　本件審判の請求は、成り立たない。
【理　由】
１．手続の経緯
　本願は、平成８年３月２２日に出願された特願平８−９３５２３号の一部を平成１０年１１月５日に新たな出願とした特願平１０−３１４８７５号の一部を、さらに平成１２年１月１２日に新たな出願としたものであって、平成１６年１０月４日付で拒絶査定がなされ、これに対し、同年１１月１０日に拒絶査定に対する審判請求がなされるとともに、同日付で手続補正がなされたものである。
　
２．平成１６年１１月１０日付の手続補正についての補正却下の決定
［補正却下の決定の結論］
　　平成１６年１１月１０日付の手続補正を却下する。
［理由］
２−１．補正後の本願発明
　本件補正により、特許請求の範囲の請求項１は、
「【請求項１】　複数図柄を変動表示可能な、第１特別図柄表示部（Ｌ１）と第２特別図柄表示部（Ｌ２）と第３特別図柄表示部（Ｌ３）を設け、
　前記第１特別図柄表示部（Ｌ１）と前記第２特別図柄表示部（Ｌ２）と前記第３特別図柄表示部（Ｌ３）の図柄が一斉に変動を開始する可変表示ゲームの制御において、前記第１特別図柄表示部（Ｌ１）と前記第２特別図柄表示部（Ｌ２）と前記第３特別図柄表示部（Ｌ３）に予め設定の図柄の組合せが確定表示されると、遊技者にとって有利となる大当たりが生起する遊技機であって、
　前記可変表示ゲームの制御において、
　前記第１特別図柄表示部（Ｌ１）と前記第２特別図柄表示部（Ｌ２）に、それぞれ複数個の図柄を一旦停止表示した後に、前記第３特別図柄表示部（Ｌ３）に図柄を確定表示し、その後、前記第１特別図柄表示部（Ｌ１）と前記第２特別図柄表示部（Ｌ２）に一旦停止表示している図柄を変動した後に第１特別図柄表示部（Ｌ１）と第２特別図柄表示部（Ｌ２）及び第３特別図柄表示部（Ｌ３）の図柄を確定表示することを特徴とする遊技機。」と補正された。
　
　前記補正は、請求項１に記載した発明を特定するために必要な事項である「可変表示ゲーム」を「前記第１特別図柄表示部（Ｌ１）と前記第２特別図柄表示部（Ｌ２）と前記第３特別図柄表示部（Ｌ３）の図柄が一斉に変動を開始する可変表示ゲームの制御」と補正し、同じく「前記可変表示ゲーム」を「前記可変表示ゲームの制御」と補正して構成を限定し、同じく「前記第１特別図柄表示部（Ｌ１）と前記第２特別図柄表示部（Ｌ２）に一旦停止表示している図柄を変動して前記第３特別図柄表示部（Ｌ３）の図柄との組合せを確定表示」を「前記第１特別図柄表示部（Ｌ１）と前記第２特別図柄表示部（Ｌ２）に一旦停止表示している図柄を変動した後に第１特別図柄表示部（Ｌ１）と第２特別図柄表示部（Ｌ２）及び第３特別図柄表示部（Ｌ３）の図柄を確定表示」と補正して構成を明瞭にするものであって、特許法第１７条の２第４項第２号の特許請求の範囲の減縮、及び、同法第１７条の２第４項第４号の明りようでない記載の釈明を目的とするものに該当する。
　そこで、本件補正後の前記請求項１に記載された発明（以下、「本願補正発明」という。）が特許出願の際独立して特許を受けることができるものであるかについて以下に検討する。
　
２−２．引用刊行物
　原査定の拒絶の理由に引用され本願の出願の日前に頒布された下記の刊行物には、それぞれ以下の事項が記載されている。
　　　　　　　　　　　　　　　　記
　刊行物１：特開平７−６８０２７号公報
　刊行物２：特開平７−２３１９７６号公報
　
（１）刊行物１（特開平７−６８０２７号公報）
「【０００１】【産業上の利用分野】本発明は、パチンコ遊技機やコイン遊技機あるいはスロットマシン等で代表される遊技機に関する。詳しくは、表示状態が変化して複数種類の表示態様を表示結果として導出表示可能な可変表示装置を含み、該可変表示装置の表示結果が予め定められた特定の表示態様となった場合に所定の遊技価値が付与可能となる遊技機に関する。」
「【００１０】始動入賞玉検出器８の検出信号に基づき、可変表示装置４のＬＣＤ表示装置５により複数種類の図柄等からなる識別情報が可変表示される。ＬＣＤ表示装置５は横方向に並んだ３つの可変表示部を有し、後述するように、左図柄，中図柄，右図柄がスクロール表示される。そして、その可変表示の表示結果が予め定められた特定の表示態様（たとえば７７７等のぞろめ）となった場合に可変入賞球装置９の開閉板１０が開成して打玉が入賞しやすい遊技者にとって有利な第１の状態となり、所定の遊技価値が付与可能な状態となる。」
「【００２１】Ｓ１１ではランダム５カウンタのカウント値が読出される。・・・ランダム５カウンタのカウント値が３，４，あるいは５のときには、Ｓ１４に進み、ＬＣＤ表示装置５を制御して図６（Ｃ）に基づいて後述する特別リーチ２の表示制御が行なわれる。次にＳ１５に進み、可変入賞球装置９を第１の状態にする大当り制御が行なわれる。」
「【００２５】Ｓ２９では、ランダム５カウンタの値を読出す処理が行なわれる。・・・ランダム５カウンタの値が５のときにＳ３２に進み、図６（Ｃ）に基づいて説明する特別リーチ２の表示制御が行なわれた後Ｓ４１に進む。Ｓ４１では、可変入賞球装置９を開成させない外れ制御が行なわれる。」
「【００４３】（Ｃ）は前述した特別リーチ２の場合を示している。ＬＣＤ表示装置５によりすべての図柄５１，５２，５３が可変表示された後左図柄５１が停止し、次に右図柄５２が停止し、リーチ状態（左＝右）となったのち、中図柄５３が低速でスクロール表示される状態となり、その状態が中図柄５３の４周分スクロールされるまで続行され、４周分スクロール表示された段階で中図柄５３が一時停止し、さらに、その後低速スクロールが開始されてから中図柄５３が１周分スクロール表示され、その後予定停止図柄がＬＣＤ表示装置５の停止表示位置に来たときに停止表示される。」
　
　前記記載を含む【発明の詳細な説明】の記載及び図面の記載からみて、刊行物１には、次の発明（以下、「引用発明」という。）が記載されていると認められる。
「複数図柄を可変表示可能な、左側の可変表示部と右側の可変表示部と中央の可変表示部を設け、
　前記左側の可変表示部と前記右側の可変表示部と前記中央の可変表示部に、それぞれ、左図柄５１，右図柄５２，中図柄５３がスクロール表示される制御において、前記左側の可変表示部と前記右側の可変表示部と前記中央の可変表示部の表示結果が予め定められた特定の表示態様（たとえば７７７等のぞろめ）となった場合に、可変入賞球装置９の開閉板１０が開成して打玉が入賞しやすい遊技者にとって有利な第１の状態となる遊技機であって、
　前記制御において、
　前記左側の可変表示部の左図柄５１が停止し、次に前記右側の可変表示部の右図柄５２が停止し、リーチ状態（左＝右）となったのち、前記中央の可変表示部の中図柄５３が一時停止し、その後中図柄５３がスクロール表示され、その後予定停止図柄が停止表示位置に来たときに停止表示される遊技機。」
　
（２）刊行物２（特開平７−２３１９７６号公報）
「【０００１】【産業上の利用分野】本発明は、図柄表示装置に変動表示される複数の表示列の変動停止時に表示される図柄の組合せが複数種類設定される大当り図柄の組合せのいずれかと一致したときに大当り遊技状態を生起せしめるパチンコ遊技機に関するものである。」
「【００１２】・・・液晶表示器２３は、縦方向に３つに分割された表示列２４ａ〜２４ｃを表示するようになっており、各表示列２４ａ〜２４ｃには、それぞれ３個の図柄を表示し得るようになっている。したがって、液晶表示器２３には、縦横３個ずつ合計９個の図柄がマトリックス状に表示されており、図２に示すように、水平方向の３本の当りラインａ〜ｃと対角線の２本の当りラインｄ，ｅとの合計５本の当りライン上のいずれかに同一図柄が表示されたときには、大当り遊技状態となる。また、各表示列２４ａ〜２４ｃには、「０」〜「９」までの数字（図柄）が予め定められた順序・・・に表示され、変動時にその順序通りに連続して変動表示される。また、その変動表示の開始は、同時であるが、停止は、左から右に所定の時間差をもって順次停止されるようになっている。」
「【００１４】・・・図柄表示装置２０・・・等の動作を制御する遊技制御回路」
「【００２４】・・・タイマｔ１がタイムアップしたと判断されたときには、ステップ２７０で左表示列２４ａの変動表示が選択された外れパターン又はリーチパターン又は大当りリーチパターンに基づいて停止される・・・この場合、大当り外れカウンタ３３の抽出結果が大当りであるときには、大当りリーチパターンカウンタ３５によって抽出されたリーチ図柄に対応する図柄が表示されるように左表示列２４ａが停止される。例えば、抽出されたリーチ図柄が当りラインｂ上に「７」である場合には、図３（Ａ）に示すように、中央に「７」が表示された状態で左表示列２４ａが停止される。
　【００２５】以下、同様にステップ２８０でタイマｔ２がタイムアップしたか否かが判断され、タイムアップしたと判断された場合には、ステップ２９０で中表示列２４ｂの変動表示が選択された外れパターン又はリーチパターン又は大当りリーチパターンに基づいて停止される・・・この場合、大当り外れカウンタ３３の抽出結果が大当りであるときには、上記と同様に大当りリーチパターンカウンタ３５によって抽出されたリーチ図柄に対応する図柄が表示されるように中表示列２４ｂが停止される。例えば、図３（Ｂ）に示すように、中央に「７」が表示された状態で中表示列２４ｂが停止される。
　【００２６】そして、右端を除く表示列２４ａ，２４ｂの変動表示が停止したときには、ステップ３００でＭ（０）の値が大当りであるか否かが判断される。」
「【００２９】一方、前記ステップ３００でＭ（０）の値が大当りであると判別されたときには、・・・ここで、タイマｔ５は、大当りリーチ状態のときに最後に変動停止する右表示列２４ｃの変動時間を通常リーチ状態時よりもさらに延長するものである。そして、その後、ステップ３９０ですべての表示列２４ａ〜２４ｃの変動を開始する。例えば、図３（Ｃ）に示すようにタイマｔ５がタイムアップするまですべての表示列２４ａ〜２４ｃが変動する。」
「【００３０】上記のように変動が再開した後、ステップ４００でタイマｔ５がタイムアップしたか否かが判断され、・・・タイマｔ５がタイムアップしたときには、ステップ４１０ですべての表示列２４ａ〜２４ｃが選択された大当りパターンに基づいて停止される。この場合、抽出された大当りパターンカウンタ３４の値に対応する大当り図柄の組合せが停止表示されるので、前記大当りリーチパターンカウンタ３５によって抽出された値に対応して表示されるリーチ図柄と偶然一致する場合もあるが、図３（Ｄ）に示すようにリーチ図柄「７」と異なる大当り図柄の組合せ「９・９・９」が当りラインｂ上に表示される場合もある。つまり、変動途中のリーチ図柄から最終的な大当り図柄の組合せは、予測することはできず、遊技者の興趣を変動終了まで引き付けることができる。」
　
　前記記載を含む【発明の詳細な説明】の記載及び図面の記載からみて、刊行物２には、次の発明が記載されていると認められる。
「左表示列（２４ａ）と中表示列（２４ｂ）と右表示列（２４ｃ）の図柄が同時に変動表示を開始する遊技制御において、前記左表示列（２４ａ）と中表示列（２４ｂ）に、中央の当りラインｂ上にリーチ図柄が表示されるようにそれぞれ複数個の図柄を一旦停止表示し、その後、一旦停止表示している図柄の変動を再開した後すべての表示列（２４ａ）（２４ｂ）（２４ｃ）の図柄を停止表示するパチンコ遊技機。」
　
２−３．対比
　本願補正発明と引用発明を対比する。
　引用発明の「可変表示」、「左側の可変表示部」、「右側の可変表示部」、「中央の可変表示部」は、それぞれ、本願補正発明の「変動表示」、「第１特別図柄表示部（Ｌ１）」、「第２特別図柄表示部（Ｌ２）」、「第３特別図柄表示部（Ｌ３）」に対応し、
　引用発明の「前記左側の可変表示部と前記右側の可変表示部と前記中央の可変表示部に、それぞれ、左図柄５１，中図柄５３，右図柄５２がスクロール表示される制御」は、本願補正発明の「前記第１特別図柄表示部（Ｌ１）と前記第２特別図柄表示部（Ｌ２）と前記第３特別図柄表示部（Ｌ３）の図柄が一斉に変動を開始する可変表示ゲームの制御」に対応し、
　引用発明の「前記左側の可変表示部と前記右側の可変表示部と前記中央の可変表示部の表示結果が予め定められた特定の表示態様（たとえば７７７等のぞろめ）となった場合に」は、本願補正発明の「前記第１特別図柄表示部（Ｌ１）と前記第２特別図柄表示部（Ｌ２）と前記第３特別図柄表示部（Ｌ３）に予め設定の図柄の組合せが確定表示されると」に対応し、
　引用発明の「可変入賞球装置９の開閉板１０が開成して打玉が入賞しやすい遊技者にとって有利な第１の状態となる」は、本願補正発明の「遊技者にとって有利となる大当たりが生起する」に対応するから、
　両者は、以下の点で一致し、また、相違する。
　
　＜一致点＞
「複数図柄を変動表示可能な、第１特別図柄表示部（Ｌ１）と第２特別図柄表示部（Ｌ２）と第３特別図柄表示部（Ｌ３）を設け、
　前記第１特別図柄表示部（Ｌ１）と前記第２特別図柄表示部（Ｌ２）と前記第３特別図柄表示部（Ｌ３）の図柄が一斉に変動を開始する可変表示ゲームの制御において、前記第１特別図柄表示部（Ｌ１）と前記第２特別図柄表示部（Ｌ２）と前記第３特別図柄表示部（Ｌ３）に予め設定の図柄の組合せが確定表示されると、遊技者にとって有利となる大当たりが生起する遊技機。」
　
　＜相違点＞
　可変表示ゲームの制御において、本願補正発明では、「第１特別図柄表示部（Ｌ１）と第２特別図柄表示部（Ｌ２）に、それぞれ複数個の図柄を一旦停止表示した後に、第３特別図柄表示部（Ｌ３）に図柄を確定表示し、その後、前記第１特別図柄表示部（Ｌ１）と前記第２特別図柄表示部（Ｌ２）に一旦停止表示している図柄を変動した後に第１特別図柄表示部（Ｌ１）と第２特別図柄表示部（Ｌ２）及び第３特別図柄表示部（Ｌ３）の図柄を確定表示する」のに対して、引用発明では、左側の可変表示部の左図柄５１が停止し、次に右側の可変表示部の右図柄５２が停止し、リーチ状態（左＝右）となったのち、中央の可変表示部の中図柄５３が一時停止し、その後中図柄５３がスクロール表示され、その後予定停止図柄が停止表示位置に来たときに停止表示される点。
　
２−４．判断
　前記相違点について検討する。
　前記刊行物２には、「左表示列（２４ａ）と中表示列（２４ｂ）と右表示列（２４ｃ）の図柄が同時に変動表示を開始する遊技制御において、前記左表示列（２４ａ）と中表示列（２４ｂ）に、中央の当りラインｂ上にリーチ図柄が表示されるようにそれぞれ複数個の図柄を一旦停止表示し、その後、一旦停止表示している図柄の変動を再開した後すべての表示列（２４ａ）（２４ｂ）（２４ｃ）の図柄を停止表示するパチンコ遊技機。」の発明（以下、「刊行物２の発明」という。）が記載され、
　刊行物２の発明においては、一旦停止表示している左表示列（２４ａ）（本願補正発明の「第１特別図柄表示部（Ｌ１）」に対応する。以下、同様。）と中表示列（２４ｂ）（第２特別図柄表示部（Ｌ２））のリーチ図柄を含む図柄の変動を再開しており、右表示列（２４ｃ）（第３特別図柄表示部（Ｌ３））の図柄は停止後変動を再開しない。
　してみると、引用発明において、中央の可変表示部（第３特別図柄表示部（Ｌ３））の中図柄５３が一時停止した状態ではリーチ状態の左側の可変表示部（第１特別図柄表示部（Ｌ１））の左図柄５１と右側の可変表示部（第２特別図柄表示部（Ｌ２））の右図柄５２も停止した状態であり、このようなすべての図柄５１，５２，５３が停止した状態において、中央の可変表示部（第３特別図柄表示部（Ｌ３））の中図柄５３の変動を再開せず確定表示し、リーチ状態の左側の可変表示部（第１特別図柄表示部（Ｌ１））の左図柄５１と右側の可変表示部（第２特別図柄表示部（Ｌ２））の右図柄５２の変動を再開した後に停止表示（確定表示）させ、前記相違点に係る本願補正発明の特定事項とすることは、刊行物２の発明を参酌すれば、当業者にとって格別困難なこととは認められない。
　
　そして、本願補正発明によって奏せられる効果は、引用発明（刊行物１に記載された発明）及び刊行物２の発明（刊行物２に記載された発明）から予測できるものであり、格別顕著なものではない。
　
　したがって、本願補正発明は、刊行物１に記載された発明及び刊行物２に記載された発明に基いて当業者が容易に発明をすることができたものであるから、特許法第２９条第２項の規定により特許出願の際独立して特許を受けることができない。
　
２−５．むすび
　以上のとおり、本件補正は、特許法第１７条の２第５項において準用する同法第１２６条第５項の規定に違反するものであるから、同法第１５９条第１項の規定において読み替えて準用する同法第５３条第１項の規定により却下すべきものである。
　
３．本願発明について
　平成１６年１１月１０日付の手続補正は前記のとおり却下されたので、本願の請求項１に係る発明（以下、同項記載の発明を「本願発明」という。）は、平成１６年６月９日付手続補正書の特許請求の範囲の請求項１に記載された事項により特定される、以下のとおりのものである。
　
「【請求項１】　複数図柄を変動表示可能な、第１特別図柄表示部（Ｌ１）と第２特別図柄表示部（Ｌ２）と第３特別図柄表示部（Ｌ３）を設け、可変表示ゲームにおいて前記第１特別図柄表示部（Ｌ１）と前記第２特別図柄表示部（Ｌ２）と前記第３特別図柄表示部（Ｌ３）に予め設定の図柄の組合せが確定表示されると、遊技者にとって有利となる特別遊技状態が生起する遊技機であって、
　前記可変表示ゲームにおいて、
　前記第１特別図柄表示部（Ｌ１）と前記第２特別図柄表示部（Ｌ２）に、それぞれ複数個の図柄を一旦停止表示した後に、前記第３特別図柄表示部（Ｌ３）に図柄を確定表示し、
　その後、前記第１特別図柄表示部（Ｌ１）と前記第２特別図柄表示部（Ｌ２）に一旦停止表示している図柄を変動して前記第３特別図柄表示部（Ｌ３）の図柄との組合せを確定表示することを特徴とする遊技機。」
　
３−１．引用刊行物
　原査定の拒絶の理由に引用された引用刊行物及びその記載事項は、前記「２−２．」に記載したとおりである。
　
３−２．対比・判断
　本願発明は、前記「２．」で検討した本願補正発明から「可変表示ゲーム」の限定事項である「前記第１特別図柄表示部（Ｌ１）と前記第２特別図柄表示部（Ｌ２）と前記第３特別図柄表示部（Ｌ３）の図柄が一斉に変動を開始する可変表示ゲームの制御」との構成を省き、同じく「可変表示ゲーム」の限定事項である「可変表示ゲームの制御」との構成を省いたものである。
　そうすると、本願発明の構成要件を全て含み、さらに他の構成要件を付加したものに相当する本願補正発明が、前記「２−４．」に記載したとおり、刊行物１に記載された発明及び刊行物２に記載された発明に基づいて、当業者が容易に発明をすることができたものであるから、本願発明も、同様の理由により、刊行物１に記載された発明及び刊行物２に記載された発明に基いて、当業者が容易に発明をすることができたものである。
　
３−３．むすび
　以上のとおり、本願発明は、刊行物１に記載された発明及び刊行物２に記載された発明に基いて当業者が容易に発明をすることができたものであるから、特許法第２９条第２項の規定により特許を受けることができない。
　よって、結論のとおり審決する。